(57)【特許請求の範囲】
【請求項１】
生ごみ処理装置本体のハウジングの内部に回転軸を介して攪拌羽根を回転する生ごみ処理槽と攪拌された生ごみを調整する調整槽とを形成し、該生ごみ処理槽と調整槽との間に上部にスリットを設けた仕切板を配設してなる生ごみ処理装置において、
前記仕切板の上端縁を切欠して点検口を設け、該点検口に前記仕切板の上端に遊嵌する脚部を下端部に形成した点検カバーを被装するとともに、該点検カバーの上端部に回動自在又はスライド自在に形成された抜け止め片を設け、該抜け止め片を外すことにより点検カバーを着脱可能にすることを特徴とする生ごみ処理装置。
【発明の詳細な説明】
【０００１】
【発明の属する技術分野】
本発明は家庭用、業務用の生ごみの点検カバーの外れ防止をするための生ごみ処理装置に関する。
【０００２】
【従来の技術】
従来の生ごみ処理装置は図１０、図１１に示したように、ハウジング３０の上面部の前半分３１ａは上方が突出して形成され、上面部の後半分３１ｂは段落ち形状に形成され、ハウジング３０の内部に回転軸３２を介して攪拌羽根３３を回転する生ごみ処理槽３４と攪拌された生ごみを調整する調整槽３５とを形成し、この生ごみ処理槽３４と調整槽３５との間に上部にスリット３６を設けた仕切板３７を配設してなるものである。
【０００３】
そして、生ごみ処理槽３４内には微生物が生息したバイオチップと称されるおが屑状の担体よりなる生ごみ処理材が充填されている。さらに、モーター３８によってチェーン３９の伝達手段によって、回転軸３２を介して攪拌羽根３３を回転させ生ごみと生ごみ処理材とを攪拌させる。このとき微生物処理された生ごみは攪拌羽根３３によって回転され、生ごみ処理槽３４と調整槽３５との間に上部にスリット３６を設けた仕切板３７のスリット３６を介して生ごみ処理槽３４の方から調整槽３５の方へ搬出されるようにしている。
【０００４】
さらに、スリット３６を設けた仕切板３７の上方側の一部に着脱自在に形成されたスリット４０を形成した点検カバー４２を固定ビス４３を介して固定されている。このとき生ごみ処理槽３４側に未処理の野菜やビニール袋等が滞留しているような場合に点検カバー４２の固定ビス４３を外し、前方から手を入れて取り除く。
【０００５】
この点検カバー４２は生ごみ処理槽３４の攪拌羽根３３の回転力により生ごみとともに上方に押圧されたり、攪拌時の振動によって固定ビス４３が緩みやすくなり、最悪の場合には点検カバー４２が脱落して回転する攪拌羽根３３に引っかかりモーターが停止する要因にもなるという問題があった。また、点検カバー４２と攪拌羽根３３との接触により騒音の原因になるという問題があった。
【０００６】
【発明が解決しようとする課題】
本発明は上記問題点を解決するためになされたもので、仕切板３７の上方側に設けられた点検カバー４２は生ごみ処理槽３４の攪拌羽根３３の回転力により生ごみとともに上方に押圧されたり、攪拌時の振動によって固定ビス４３が緩みやすくなり、最悪の場合には点検カバー４２が脱落して回転する攪拌羽根３３に引っかかりモーターが停止するという問題もない安全かつ利便性の良好な生ごみ処理装置を提供するにある。
【０００７】
【課題を解決するための手段】
本発明の請求項１記載の生ごみ処理装置は生ごみ処理装置本体のハウジングの内部に回転軸を介して攪拌羽根を回転する生ごみ処理槽と攪拌された生ごみを調整する調整槽とを形成し、該生ごみ処理槽と調整槽との間に上部にスリットを設けた仕切板を配設してなる生ごみ処理装置において、前記仕切板の上端縁を切欠して点検口を設け、該点検口に前記仕切板の上端に遊嵌する脚部を下端部に形成した点検カバーを被装するとともに、該点検カバーの上端部に起倒自在又はスライド自在に形成された抜け止め片を設け、該抜け止め片を外すことにより点検カバーを着脱可能にすることを特徴とするものである。
【０００８】
したがって、点検カバーの上端部に起倒自在又はスライド自在に形成された抜け止め片を設け、該抜け止め片を外すことにより点検カバーを着脱可能にすることができるので点検カバーが脱落することもなく安全かつ利便性の良好なものである。更に、仕切板上端に脚部を有する点検カバーを装着することができるので左右のガタツキが少なく安定した取付けができるので取付け、取外しが簡便である。
【００１４】
【発明の実施の形態】
図１乃至図６は、本発明の請求項１に係る発明に対応する生ごみ処理装置の一実施例の形態を示し、図７乃至図９は他の実施形態を示す生ごみ処理装置の図で以下に示す。
【００１５】
図１及び図５において、Ａはハウジング１の上面部の前半分１ａは上方が突出して形成され、上面部の後半分１ｂは段落ち形状に形成され、ハウジング１の内部に回転軸２を介して攪拌羽根３を回転する生ごみ処理槽４と攪拌された生ごみを調整する調整槽５とを形成し、この生ごみ処理槽４と調整槽５との間に上部にスリット６を設けた仕切板７を配設した生ごみ処理装置である。
【００１６】
そして、生ごみ処理槽４内には微生物が生息したバイオチップと称されるおが屑状の担体よりなる生ごみ処理材が充填されている。さらに、モーター８によってチェーン９の伝達手段によって、回転軸２を介して攪拌羽根３を回転させ生ごみと生ごみ処理材とを攪拌させる。このとき微生物処理された生ごみは攪拌羽根３によって回転され、生ごみ処理槽４と調整槽５との間に上部にスリット６を設けた仕切板７のスリット６を介して生ごみ処理槽４の方から調整槽５の方へ搬出されるようにしている。
【００１７】
さらに、スリット６を設けた仕切板７の上方側の一部に着脱自在に形成された樹脂や金属で成形されたスリット１０を形成した点検カバー１5を固定ビス１３を介して固定されている。この仕切板７の上端縁を切欠して点検口１４を設け、この点検口１４に点検カバー１５を被装するとともに点検カバー１５の上端部に回動自在又はスライド自在に形成された抜け止め片１６を設け、この抜け止め片１６を外すことにより点検カバー１５を着脱可能にすることができる。このとき仕切板７に設けられた点検口１４の点検カバー１５の下端部を仕切板７の一端にネジやビス等により螺着して取外しや取付けが簡単にできるようにしている。
【００１８】
尚、Ｂはキッチン流し台であって、この流し台の中に生ごみ処理装置Ａが内蔵され生ごみをすぐに処理できるようになっている。これはビルトインタイプであるが屋外へ生ごみ処理装置Ａを置いても良い。
【００１９】
また、この点検カバー１５の下端部には仕切板７の上端に遊嵌する逆Ｕ字状の脚部１１を折り曲げや押出し成形により形成されている。この抜け止め片１６の抜け止め防止手段は図６（ａ），（ｂ）に示すように、一実施形態として、点検カバー１５の上部に設けたピン孔１７に前方に横方向に突出する突出部１８を有する回動自在の抜け止め片１６の支点孔にピン１９を軸支して回動自在としたものであって、点検カバー１５の一端と抜け止め片１６の一端とをばね、ゴム等の弾性体２０により連結して回動支点が右回りになって点検カバー１５の上端部を押圧して上方に浮き出ないようにしている。
【００２０】
この弾性体２０を解除するときには指でもって抜け止め片１６の一端を反対廻りに回動することでロックが外れるようにしている。また、生ごみ処理槽４側に未処理の野菜やビニール袋等が滞留しているような場合には点検カバー１５の固定ビス１３を外し、前方から手を入れて取り除く。この点検カバー１５は生ごみ処理槽４の攪拌羽根３の回転力により生ごみとともに上方に押圧されようとするが、この抜け止め片１６の下方への押圧力によって抜け防止が図れる。
【００２１】
また、攪拌時の振動によって固定ビス１３が緩み、最悪の場合には点検カバー１５が脱落して回転する攪拌羽根３に引っかかりモーターが停止する要因にもなるということもない。また、点検カバー１５と攪拌羽根３との接触音により騒音が発生するということもない。
【００２２】
さらに、図７（ａ），（ｂ），（ｃ）は回動自在の抜け止め片１６の異なる実施形態であって、点検カバー１５の上端縁上方と直交する位置に略逆Ｕ字状の固定受金具２１を配設し、この固定受金具２１の中に平板状の抜け止め片１６を回動自在に軸孔２２ａ、軸受２２ｂを介して配設される。このとき、固定受金具２１の下側面に内方に突出する係止部２３を設け、この固定状態の係止部２３が抜け止め片１６を回動して起こした際に、抜け止め片１６に設けられているボス孔２４に係止部２３が係止されロック状態となるので点検カバー１５を取外すことができる。このロック状態を解除するには抜け止め片１６の下端に設けられているツマミ２５を下方に回動して倒した際に通常の点検カバー１５の浮き上がりを防止することができる。
【００２３】
また、図８（ａ），（ｂ）及び図９はスライド自在の抜け止め片１６の異なる実施形態であって、点検カバー１５の上端縁上方と水平方向に位置するように仕切板７にスライド規制をするための水平折曲片２６を形成し、この水平折曲片２６に内装するようにして固定ピン２７を介してスライド自在に配設したスライド片２８が設けられている。したがって、点検カバー１５の浮き上がりを防止する際にはスライド片２８を右方向にスライドさせる。点検カバー１５を取外す際にはスライド片２８を左方向にスライドさせる。また、スライド片２８が確実にスライドするように固定ピン２７を複数配設しても良く、板ばね等のばね片２９を介してスライド固定をするようにしても良い。
【００２４】
【発明の効果】
上述の如く、本発明の請求項１記載の生ごみ処理装置は、仕切板の上端縁を切欠して点検口を設け、該点検口に点検カバーを被装するとともにこの点検カバーの上端部に回動自在又はスライド自在に形成された抜け止め片を設け、この抜け止め片を外すことにより点検カバーを着脱可能にすることができるので、生ごみ処理槽に野菜やビニール袋等が詰まっても簡単に清掃ができる。また、抜け止め片により点検カバーが脱落することもないので回転羽根に脱落した点検カバーが接触することもないので安全かつ利便性の良好なものである。更に、点検カバーの下端部に仕切板上端に遊嵌する脚部を形成しているから仕切板上端に脚部を有する点検カバーを装着することができるので左右のガタツキが少なく安定した取付けができるようになり取付け、取外しが簡便である。
【図面の簡単な説明】
【図１】本発明の生ごみ処理装置の一実施形態の全体を示す断面図である。
【図２】本発明の図１の生ごみ処理装置の横方向から見た概略の側面図である。
【図３】本発明の生ごみ処理装置をキッチンに組みこんだ状態を示す要部の斜視図である。
【図４】本発明の生ごみ処理装置の仕切板に固着する点検カバーの取付け状態を示す要部の斜視図である。
【図５】本発明の生ごみ処理装置の点検カバーを示す斜視図である。
【図６】（ａ）は本発明の抜け止め片の正面図であり、（ｂ）は本発明の抜け止め片の側面図である。
【図７】（ａ）は本発明の抜け止め片の正面図、（ｂ）は本発明の仕切板の側面方向から見た正面図、（ｃ）は本発明を仕切板の正面方向から見た正面図である。
【図８】（ａ）は本発明の生ごみ処理装置のスライドする抜け止め片を設けた異なる実施例に係わる正面図、（ｂ）は（ａ）の斜視図である。
【図９】本発明の生ごみ処理装置のスライドする抜け止め片を設けた異なる実施例に係わる仕切板と点検カバーとの取付け状態を示す要部の斜視図である。
【図１０】従来の生ごみ処理装置の要部の断面図である
【図１１】従来の生ごみ処理装置の仕切り板を示す要部の断面図である
【符号の説明】
Ａ      生ごみ処理装置
Ｂ      キッチン流し台
１      ハウジング
２      回転軸
３      攪拌羽根
４      生ごみ処理槽
５      調整槽
６      スリット
７      仕切板
８      モーター
９      チェーン
１０    スリット
１１    脚部
１３    固定ビス
１５    点検カバー
１６    抜け止め片
１７    ピン孔
１８    突出部
１９    ピン
２０    弾性体
２３    係止部
２４    ボス孔
２５    ツマミ
２８    スライド片
【図１】
0003659134.tif 000002
【図２】
0003659134.tif 000003
【図３】
0003659134.tif 000004
【図４】
0003659134.tif 000005
【図５】
0003659134.tif 000006
【図６】
0003659134.tif 000007
【図７】
0003659134.tif 000008
【図８】
0003659134.tif 000009
【図９】
0003659134.tif 000010
【図１０】
0003659134.tif 000011
【図１１】
0003659134.tif 000012